(57)【要約】【課題】ガラスパネルを壁面に面一に張り付け得、確実な張り付け保持が実現可能であり、加えて地震等の振動や揺動を受けた場合に一定範囲でそれに追随動作可能であること。【解決手段】建造物の壁面ｗに面一に配列する複数のガラスパネル１、１…と、各ガラスパネル１を、その上下辺で抱持する抱持手段と、抱持手段から延長した、後端に規制片２ａを備えた上部側スライド板２及び下部側スライド板３と、上部側スライド板２を、その後部側を規制片２ａで規制されつつスライド縦板４ｂでスライド自在に支持する上スライドベース金具４及び下部側スライド板３をスライド横板でスライド自在に支持する下スライドベース金具５と、隣接するガラスパネル１、１…相互の間の空間である目地を閉じる目地部材６とで構成した。【選択図】  図３
2014077255.tif 000002
【特許請求の範囲】
【請求項１】
建造物の壁面に面一状態に配列する複数のガラスパネルと、
前記ガラスパネルを、その四辺の対向する二つの辺に前面から端面にかけて形成した斜面で抱持する金属製の抱持手段と、
前記抱持手段に結合した金属製の上部側スライド結合部材及び下部側スライド結合部材と、
前記壁面に固定するための固定板部、及び該固定板部で該壁面に固定した状態で、前記上部側スライド結合部材をスライド自在に支持する上部側スライド支持部材を備えた上スライドベース金具と、
前記壁面に固定するための固定板部、及び該固定板部で該壁面に固定した状態で、前記下部側スライド結合部材をスライド自在に支持する下部側スライド支持部材を備えた下スライドベース金具と、
で構成したガラスパネルの壁面への張付構造。
【請求項２】
前記抱持手段を、
前記ガラスパネルの上辺の斜面に当接する上部抱持片と、
前記ガラスパネルの下辺の斜面に当接する下部抱持片と、
前記上部抱持片の後部側から、該上部抱持片の前記斜面への当接状態で、対象のガラスパネルの背面に接合固定状態で垂下し、その下端に背後方向に屈曲する上部連結片を備えた接合補強片と、
前記下部抱持片の後部側から、該下部抱持片の前記斜面への当接状態で、対象のガラスパネルの背面に接合固定状態で立ち上げ、その上端に背後方向に屈曲する下部連結片を備えた接合補強片と、
前記上部連結片と前記下部連結片とを、その間の間隔を伸縮調整可能に連結する連結手段と、
で構成し、
前記上部側スライド結合部材を前記上部抱持片の後部側に結合固定し、
前記下部側スライド結合部材を前記下部抱持片の後部側に結合固定した請求項１のガラスパネルの壁面への張付構造。
【請求項３】
前記上部側スライド結合部材を、前記上部抱持片の後部側から背後方向に延長する上部側スライド板と、その後端から垂下させたスライド範囲を規制する規制片とで構成し、
前記下部側スライド結合部材を、前記下部抱持片の後部側から背後方向に延長する下部側スライド板で構成し、
前記上部側スライド支持部材を、前記固定板部から前方に延びる腕板と、該腕板の先端から立ち上がり、その上端を前記上部側スライド板の下面にスライド自在に当接させるスライド縦板とで構成し、
前記下部側スライド支持部材は、前記固定板部から前方に延び、その上面を前記下部側スライド板の下面にスライド自在に当接させるスライド横板とで構成した請求項２のガラスパネルの壁面への張付構造。
【請求項４】
前記上部側スライド結合部材を、前記上部抱持片の後部側から垂下する前記接合補強片の両側部に構成した、平面視コ字形又は逆コ字形の相互に対称形状である二つの上部側スライド側片と、該二つの上部側スライド側片の各々平面から見た三辺のうち、前記接合補強片の背後方向に延びる辺の下部に四辺形に切り欠いた連結規制溝とで構成し、
前記下部側スライド結合部材を、前記下部抱持片の後部側から立ち上がる前記接合補強片の両側部に構成した、平面視コ字形又は逆コ字形の相互に対称形状である二つの下部側スライド側片と、該二つの下部側スライド側片の各々平面から見た三辺のうち、前記接合補強片の背後方向に延びる辺の下部に四辺形に切り欠いた連結規制溝とで構成し、
前記上部側スライド支持部材を、前記固定板部から前方に延び、前記上部側スライド側片をスライド自在に受けるスライド受け板と、該スライド受け板の先端から立ち上がり、前記上部側スライド結合部材の連結規制溝中に挿入状態となる規制板とで構成し、
前記下部側スライド支持部材は、前記固定板部から前方に延び、前記下部側スライド側片をスライド自在に受けるスライド受け板と、該スライド受け板の先端から立ち上がり、前記下部側スライド結合部材の連結規制溝中に挿入状態となる規制板とで構成した請求項２のガラスパネルの壁面への張付構造。
【請求項５】
建造物の壁面に配列固定する前記ガラスパネルの目地に目地部材を配することとし、該目地部材を、前記目地の幅に対応する幅寸法を有する長尺の目地板と、該目地板の裏面から隣接する一方のガラスパネルの裏面側に延長し、該ガラスパネルの裏面に一部を接合固定する固定板とで構成した請求項１、２、３又は４のガラスパネルの壁面への張付構造。
【請求項６】
前記連結手段中に該連結手段と前記ガラスパネルとの熱膨張による伸縮寸法差を吸収する弾性吸収手段を挿入した請求項２のガラスパネルの壁面への張付構造。
【発明の詳細な説明】
【技術分野】
【０００１】
本発明は、板状のガラスであるガラスパネルを建造物の壁面にその化粧等のために張り付けるガラスパネルの壁面への張付構造に関する。
【背景技術】
【０００２】
この種のガラスパネルの壁面への張付構造に関しては、特許文献１中に、従来技術としてガラスパネルの壁面取付構造が記述されている。
【０００３】
このガラスパネルの壁面取付構造は、コンクリートやモルタルの壁下地にＬ形のパネル保持フレームを高さ方向に順次所定の間隔で取り付け、その間に、各々ガラスパネルを配し、かつその各下端を各パネル保持フレームの水平板部で保持すると共に、各上下隣接するガラスパネル間の目地にコーキング材を充填し、該上下のガラスパネル及びその間のパネル保持フレームの水平板部を相互に連結固定したものであり、更に各ガラスパネルと壁下地との間には、セパレータを介在させたものである。
【０００４】
なお、前記Ｌ形のパネル保持フレームは、その鉛直板部を壁下地に当接させ、かつネジで固定し、前記のように、その水平板部でガラスパネルの下端を保持するものである。
【０００５】
それ故、このガラスパネルの壁面取付構造によれば、目地に配したコーキング材で上下の対面する端部相互を結合し、かつ前記水平板部と結合し、該水平板部、これに連続する鉛直板部及びこれを壁下地に固定するネジを介して該壁下地に該ガラスパネルを固定するものであり、これらのガラスパネルの鉛直荷重は、該水平板部で受け止められる。また風圧等によって生じるガラスパネルの面に直交する方向の荷重は、該コーキング材によって保持されるものであり、後者の保持力には不安を感じざるを得ない。すなわち、コーキング材の劣化により保持力が低下し、地震等の際にガラスパネルの剥離落下が容易に生じる虞がある。
【０００６】
その他、コーキング材の仕上げが難しく、意匠的な品質を低下させる原因となり、またコーキング材のアクがガラスパネルの汚れの原因になる虞もあるとされる。
【０００７】
特許文献２の提案する関連発明は、ガラスパネルの壁面取付構造であり、これは、壁下地に取り付けたＬ形のパネル保持フレームにより、ガラスパネルの端縁を保持してなるガラスパネルの壁面取付構造において、ガラスパネルの前面から端縁にかけて傾斜面を形成するとともに、該パネル保持フレームにおけるガラスパネルの端縁を保持する水平板状の保持部の先端に、ガラスパネル側に延出して前記傾斜面の一部又は全部を覆う遮蔽部を一体に形成してなるものである。
【０００８】
前記保持部には水抜孔を有することがあり、前記保持部と前記ガラスパネルの下端における端縁間にはブロック材を配し、かつ該ガラスパネルと壁下地との間にはクッション材を配することがあるものでもある。
【０００９】
従ってこの特許文献２の提案するガラスパネルの壁面取付構造によれば、ガラスパネルは確実に壁面に固定され、パネル保持フレームとして必要な強度と耐久性を備えた素材によるそれを用いれば、容易に脱落はしないように思われる。しかしガラスパネルは、パネル保持フレームによりほぼタイトな状態に保持されるものであるため、地震等の振動や揺動を受けた場合に、該ガラスパネルは、その動きに追随した動きをすることが困難であり、それ故、それ自体に無理な力が加わり、その全部又は一部に損傷を生じる虞がある。
【先行技術文献】
【特許文献】
【００１０】
【特許文献１】特開平０５−６５７５２号公報（発明の詳細な説明の段落０００２〜０００６、図８）
【特許文献２】特開平０５−６５７５２号公報（特許請求の範囲、発明の詳細な説明の段落０００７以下）
【発明の概要】
【発明が解決しようとする課題】
【００１１】
本発明は、ガラスパネルを壁面に良好な平坦面とすべく張り付けうるとともに、確実な張付保持が実現可能であり、加えて地震等の振動や揺動を受けた場合に一定範囲でそれに追随した動きを許容することが可能なガラスパネルの壁面への張付構造を提供することを解決の課題とする。またガラスパネルとこれを支持する部材との熱膨張率の差に拘わらず、ガラスパネルの保持の緩みの発生を回避し、また限度を越えた保持力でガラスパネルの損傷を生じさせるようなことのないガラスパネルの壁面への張付構造を提供することを解決の課題とする。
【課題を解決するための手段】
【００１２】
本発明の１は、建造物の壁面に面一状態に配列する複数のガラスパネルと、
前記ガラスパネルを、その四辺の対向する二つの辺に前面から端面にかけて形成した斜面で抱持する金属製の抱持手段と、
前記抱持手段に結合した金属製の上部側スライド結合部材及び下部側スライド結合部材と、
前記壁面に固定するための固定板部、及び該固定板部で該壁面に固定した状態で、前記上部側スライド結合部材をスライド自在に支持する上部側スライド支持部材を備えた上スライドベース金具と、
前記壁面に固定するための固定板部、及び該固定板部で該壁面に固定した状態で、前記下部側スライド結合部材をスライド自在に支持する下部側スライド支持部材を備えた下スライドベース金具と、
で構成したガラスパネルの壁面への張付構造である。
【００１３】
本発明の２は、本発明の１のガラスパネルの壁面への張付構造において、
前記抱持手段を、
前記ガラスパネルの上辺の斜面に当接する上部抱持片と、
前記ガラスパネルの下辺の斜面に当接する下部抱持片と、
前記上部抱持片の後部側から、該上部抱持片の前記斜面への当接状態で、対象のガラスパネルの背面に接合固定状態で垂下し、その下端に背後方向に屈曲する上部連結片を備えた接合補強片と、
前記下部抱持片の後部側から、該下部抱持片の前記斜面への当接状態で、対象のガラスパネルの背面に接合固定状態で立ち上げ、その上端に背後方向に屈曲する下部連結片を備えた接合補強片と、
前記上部連結片と前記下部連結片とを、その間の間隔を伸縮調整可能に連結する連結手段と、
で構成し、
前記上部側スライド結合部材を前記上部抱持片の後部側に結合固定し、
前記下部側スライド結合部材を前記下部抱持片の後部側に結合固定したものである。
【００１４】
本発明の３は、本発明の２のガラスパネルの壁面への張付構造において、
前記上部側スライド結合部材を、前記上部抱持片の後部側から背後方向に延長する上部側スライド板と、その後端から垂下させたスライド範囲を規制する規制片とで構成し、
前記下部側スライド結合部材を、前記下部抱持片の後部側から背後方向に延長する下部側スライド板で構成し、
前記上部側スライド支持部材を、前記固定板部から前方に延びる腕板と、該腕板の先端から立ち上がり、その上端を前記上部側スライド板の下面にスライド自在に当接させるスライド縦板とで構成し、
前記下部側スライド支持部材は、前記固定板部から前方に延び、その上面を前記下部側スライド板の下面にスライド自在に当接させるスライド横板とで構成したものである。
【００１５】
本発明の４は、本発明の２のガラスパネルの壁面への張付構造において、
前記上部側スライド結合部材を、前記上部抱持片の後部側から垂下する前記接合補強片の両側部に構成した、平面視コ字形又は逆コ字形の相互に対称形状である二つの上部側スライド側片と、該二つの上部側スライド側片の各々平面から見た三辺のうち、前記接合補強片の背後方向に延びる辺の下部に四辺形に切り欠いた連結規制溝とで構成し、
前記下部側スライド結合部材を、前記下部抱持片の後部側から立ち上がる前記接合補強片の両側部に構成した、平面視コ字形又は逆コ字形の相互に対称形状である二つの下部側スライド側片と、該二つの下部側スライド側片の各々平面から見た三辺のうち、前記接合補強片の背後方向に延びる辺の下部に四辺形に切り欠いた連結規制溝とで構成し、
前記上部側スライド支持部材を、前記固定板部から前方に延び、前記上部側スライド側片をスライド自在に受けるスライド受け板と、該スライド受け板の先端から立ち上がり、前記上部側スライド結合部材の連結規制溝中に挿入状態となる規制板とで構成し、
前記下部側スライド支持部材は、前記固定板部から前方に延び、前記下部側スライド側片をスライド自在に受けるスライド受け板と、該スライド受け板の先端から立ち上がり、前記下部側スライド結合部材の連結規制溝中に挿入状態となる規制板とで構成したものである。
【００１６】
本発明の５は、本発明の１、２、３又は４のガラスパネルの壁面への張付構造において、
建造物の壁面に配列固定する前記ガラスパネルの目地に目地部材を配することとし、該目地部材を、前記目地の幅に対応する幅寸法を有する長尺の目地板と、該目地板の裏面から隣接する一方のガラスパネルの裏面側に延長し、該ガラスパネルの裏面に一部を接合固定する固定板とで構成したものである。
【００１７】
本発明の６は、本発明の２のガラスパネルの壁面への張付構造において、
前記連結手段中に該連結手段と前記ガラスパネルとの熱膨張による伸縮寸法差を吸収する弾性吸収手段を挿入したものである。
【発明の効果】
【００１８】
本発明の１のガラスパネルの壁面への張付構造によれば、壁面にガラスパネルを取り付ける際に、該ガラスパネルの位置決めにおいて、その面に直交する方向への調整が可能であるため、その前面を面一状態に張り付けることが容易かつ確実に行い得られる。また壁面に取り付けるガラスパネルは、金属製の抱持手段によって抱持された上で、金属製の上下部側スライド結合部材及び上下スライドベース金具によって支持されるものであり、接着剤のみによって張り付けられるそれのように、その劣化に伴い壁面から容易に脱落することとなるようなことは無く、確実な保持が可能である。さらには、ガラスパネルと建造物の壁面との結合は、以上のように、上下部側スライド結合部材と上下スライドベース金具とによるスライド自在な結合を含むため、地震等の振動や揺動を受けた場合に一定範囲でそれに追随した動きを許容しうるものとなっている。それ故、壁面に張り付けたガラスパネルの全部又は一部に無理な力が加わることが少なく、その損傷を回避することができる。
【００１９】
前記抱持手段によるガラスパネルの抱持は、該ガラスパネルの四辺の対向する二つの辺、例えば、上下の平行な二辺又は左右の平行な二辺で抱持する態様で行われる。上下の二辺で抱持する場合は、通常、上下の抱持端の部分で滑りを生じるような虞はほとんど無いので、確実な抱持が容易に得られる。これに対して、左右の二辺で抱持する場合は、ガラスパネルの荷重により、左右の抱持端の部分で、上下方向の滑りを生じる虞がある。それ故、例えば、ガラスパネルの左右の辺に形成する斜面は、左右の辺のうち、抱持手段の左右の抱持端で抱持する部分にのみ形成するものとし、その特に上方の部位との間に段差を形成し、該抱持端とその段差部が係止することで、上下方向の滑りを生じないようにするのが適当である。そしてこのように段差を生じさせるようにすることで、確実な抱持が可能となり、ガラスパネルの落下の容易に生じないガラスパネルの張付構造を確保できることとなる。
【００２０】
更に前記抱持手段に結合する上部側スライド結合部材及び下部側スライド結合部材と、これらをスライド自在に支持する上スライドベース金具に構成する上部側スライド支持部材及び下スライドベース金具に構成する下部側スライド支持部材の構成は、後者が前者をスライド自在に支持できるものであれば、特定のそれに限定されない。もっとも何らかの態様で、相互のスライド範囲を限定する規制手段を施しておくことは必要である。そしてこの規制手段の構成もまた特定のそれに限定されない。
いずれにしても、後者の前者に対する支持は、金属部材によるスライド自在な支持であり、ガラスパネルの脱落が容易に生じないものとなっている。
【００２１】
本発明の２のガラスパネルの壁面への張付構造によれば、ガラスパネルを、対向する二辺の斜面で、簡単な構成により容易に抱持し得る。またその抱持は、基本的に、上部抱持片及び下部抱持片を伸縮調整可能な連結手段で連結して行うものであるため、より適切な抱持力で保持することができ、ガラスパネルに無理な力を加えること無く、確実な結合を確保できる。また上部側スライド結合部材及び下部側スライド結合部材の抱持手段との結合が後者の適切な位置で容易に行い得られる。以上の結果、前記ガラスパネルと上部側スライド結合部材及び下部側スライド結合部材との結合を確実なものとすることができる。
【００２２】
本発明の３のガラスパネルの壁面への張付構造によれば、ガラスパネルは、その上部側は、前記構成の上部側スライド結合部材と上部側スライド支持部材とにより、下部側は、前記構成の下部側スライド結合部材と下部側スライド支持部材とにより、それぞれ確実に壁面に取り付けられるが、同時に、壁面との間で、その面方向及び面に直交する方向に、一定範囲で、スライド移動自在に結合されているので、地震等の振動や揺動を受けた場合に、該一定範囲で壁面との間で相対的に振動又は揺動することが可能であり、ガラスパネルそれ自体に無理な力が加わって損傷を生じるような虞を低下させることができる。また、そのようなスライド自在な結合を非常に簡明で確実な構成で実現しているものである。
【００２３】
本発明の４のガラスパネルの壁面への張付構造によれば、本発明の３の場合と同様に、ガラスパネルは、その上部側は、前記構成の上部側スライド結合部材と上部側スライド支持部材とにより、下部側は、前記構成の下部側スライド結合部材と下部側スライド支持部材とにより、それぞれ確実に壁面に取り付けられるが、同時に、壁面との間で、その面方向及び面に直交する方向に、一定範囲で、スライド移動自在に結合されているので、地震等の振動や揺動を受けた場合に、該一定範囲で壁面との間で相対的に振動又は揺動することが可能であり、ガラスパネルそれ自体に無理な力が加わって損傷を生じるような虞を低下させることができる。
【００２４】
更に本発明の４のガラスパネルの壁面への張付構造の場合は、上部側スライド結合部材と上部側スライド支持部材との結合、及び下部側スライド結合部材と下部側スライド支持部材との結合が、上部側スライド側片とスライド受け板とのスライド自在な係合、及び下部側スライド側片とスライド受け板とのスライド自在な係合、並びに前記上部側スライド結合部材の連結規制溝とこれに挿入状態となる上部側のスライド受け板先端の規制板との移動範囲が限定された係合（外れ止め）、及び前記下部側スライド結合部材の連結規制溝とこれに挿入状態となる下部側のスライド受け板先端の規制板との移動範囲が限定された係合（外れ止め）で構成されるものであるため、相互は、一定範囲でスライド自在に結合しつつ、確実な結合が確保できるものでもある。
【００２５】
本発明の５のガラスパネルの壁面への張付構造によれば、個々のガラスパネルの隣接する縦横の二辺に予め目地部材をセットした上でガラスパネルの張り付けを行えば、ガラスパネルの張り付けの完了と同時にその目地の処理も完了する。それ故、極めて簡単かつスピーディに目地の処理を行うことができる。また目地は予め平坦に作成された目地板によって構成されるので、湿式で目地材を埋めて構成される場合より、容易に平坦で美しいそれを作成することができる。
【００２６】
本発明の６のガラスパネルの壁面への張付構造によれば、気温の変化等によって生じる前記ガラスパネル自体の抱持方向の寸法変化と前記抱持手段の連結手段の寸法変化との差により、抱持力が低下して該ガラスパネルの落下が生じるとか、逆に該ガラスパネルに抱持方向の無理な力が加わってこれに損傷を生じさせるような問題の発生を未然に防止し、確実なガラスパネルの保持を確保することができる。なお、このような問題は、抱持手段それ自体の一部をその差を吸収可能なバネ材で構成することによっても解決可能な場合がある。
【図面の簡単な説明】
【００２７】
【図１】抱持手段及び目地部材を取り付けた実施例１のガラスパネルの正面図。
【図２】(a)は、図１のＡ部の拡大図、(b)は(a)のＢ−Ｂ線断面図。
【図３】壁面に張り付けた上下隣接するガラスパネルの目地を挟んだ一定範囲の断面説明図。
【図４】(a)はガラスパネルの一部切欠正面図、(b)は一部切欠側面図、(c)は一部切欠底面図。
【図５】(a)は上部抱持片及びこれに一体に構成した構成要素の平面図、(b)は正面図、(c)は右側面図。
【図６】(a)は下部抱持片及びこれに一体に構成した構成要素の平面図、(b)は正面図、(c)は右側面図。
【図７】(a)は上スライドべース金具の右側面図、(b)は一部切欠平面図、(c)は一部切欠正面図。
【図８】(a)は下スライドべース金具の右側面図、(b)は一部切欠平面図、(c)は一部切欠正面図。
【図９】(a)は目地部材の右側面図、(b)は一部切欠平面図、(c)は一部切欠正面図。
【図１０】抱持手段を取り付けた実施例２のガラスパネルの正面図。
【図１１】壁面に取り付けた上下隣接するガラスパネルの目地を挟んだ一定範囲の正面図。
【図１２】壁面に取り付けたガラスパネル上部から見た平面断面図。
【図１３】壁面に取り付けた上下隣接するガラスパネルの目地を挟んだ一定範囲の断面説明図。
【図１４】(a)は上部抱持片及びこれに一体に構成した構成要素の平面図、(b)は正面図、(c)は右側面図。
【図１５】(a)は下部抱持片及びこれに一体に構成した構成要素の平面図、(b)は正面図、(c)は右側面図。
【図１６】(a)は上スライドべース金具の一部切欠平面図、(b)は一部切欠正面図、(c)は右側面図。
【図１７】(a)は下スライドべース金具の一部切欠平面図、(b)は一部切欠正面図、(c)は右側面図。
【発明を実施するための形態】
【００２８】
発明を実施する形態を、実施例に基づいて図面を参照しながら説明する。
【００２９】
＜実施例１＞
この実施例１のガラスパネルの壁面への張付構造は、図１及び図３に示すように、基本的に、建造物の壁面ｗに面一状態に配列する複数のガラスパネル１、１…と、該各ガラスパネル１を、その上下辺で抱持する抱持手段と、該抱持手段から延長した上部側スライド板２及び下部側スライド板３と、該上部側スライド板２をスライド自在に支持する上スライドベース金具４及び該下部側スライド板３をスライド自在に支持する下スライドベース金具５と、隣接するガラスパネル１、１…相互の間の目地を閉じる目地部材６とで構成したものである。
【００３０】
前記ガラスパネル１、１…は、この実施例１では、図１、図２及び図４(a)〜(c)に示すように、四辺形単板の板ガラスを採用した。またこの実施例１では、ガラスパネル１、１…として、カラー板ガラスを採用した。透光性ではあるが、カラーであるため背後の壁面ｗ及び張り付けのための各種部材も殆ど見えないようになっている。ガラスパネル１として無色透明のそれを採用しても、周囲の条件との関係又は建造物のデザインとの関係で、背後の部材が目障りになるとは限らないので、それも可能である。
【００３１】
勿論、この実施例１のようにカラー板ガラスを採用するのが適当ではある。なお、カラー板ガラスのカラーは、無色透明のガラスにカラーフィルムを貼り合わせることで実現できる場合もある。前記のように、この実施例１では、単板ガラスを採用したが、中間膜で貼り合わせてなる合わせガラスを用いることもできる。このように合わせガラスを採用した場合は、例えば、中間膜に有色のそれを用いることとすれば、無色透明の板ガラスを合わせた合わせガラスでカラーガラスのように用いることもできる。
【００３２】
更に前記ガラスパネル１、１…には、この実施例１では、図２(b)、図３及び図４(a)〜(c)に示すように、その四辺に前面側から端面にかけて斜面１ａ、１ａ…を形成しておくものとする。この斜面１ａは、この実施例１では、以上のように、四辺の全範囲に形成したが、後述する上部抱持片７ａ又は下部抱持片８ａが当接する部位のみに形成するものとしても良い。
【００３３】
前記抱持手段は、この実施例１では、図３及び図５(a)〜(c)に示すように、前記ガラスパネル１の上辺の斜面１ａの一部に当接する上部抱持片７ａと、該上部抱持片７ａの該ガラスパネル１の斜面１ａへの当接状態で、該上部抱持片７ａの後端及びその両外側の部位から該ガラスパネル１の背面に当接状態で垂下し、その下端に背後方向に屈曲する上部連結片７ｂを備えた接合補強片７ｃと、図３及び図６に示すように、該ガラスパネル１の下辺の斜面１ａの一部に当接する下部抱持片８ａと、該下部抱持片８ａの該ガラスパネル１の斜面１ａへの当接状態で、該下部抱持片８ａの後端及びその両外側の部位から該ガラスパネル１の背面に当接状態で立ち上がり、その上端に背後方向に屈曲する下部連結片８ｂを備えた接合補強片８ｃと、特に図３に示すように、前記上部連結片７ｂと前記下部連結片８ｂとを伸縮調整可能に連結するボルト部材９ａ、ナット部材９ｂ（連結手段）及びボルト部材９ａとガラスパネル１の熱膨張による伸縮差の吸収用の圧縮コイルバネ９ｃと、で構成したものである。
【００３４】
前記上部側スライド板２は、図３及び図５に示すように、前記上部抱持片７ａの後端及びその両外側の部位から該上部抱持片７ａが、その上辺の斜面１ａに当接するガラスパネル１の背後方向に延長し、その後端から規制片２ａを垂下させた部材である。
【００３５】
また前記下部側スライド板３は、図３及び図６(a)〜(c)に示すように、前記下部抱持片８ａの後端及びその両外側の部位から該後部抱持片８ａが、その下辺の斜面１ａに当接するガラスパネル１の背後方向に延長させた部材である。
【００３６】
この実施例１では、特に図５(a)〜(c)に示すように、以上の抱持手段のうち、前記ボルト部材９ａ、ナット部材９ｂ及び圧縮コイルバネ９ｃを除く上部側部材である、前記上部抱持片７ａ、上部連結片７ｂ及び接合補強片７ｃと、規制片２ａを含む上部側スライド板２とは、一枚の金属板（この実施例１ではステンレススチール板）を加工（打ち抜き及び曲げ等）して一体に構成したものである。
【００３７】
図５(a)〜(c)に示すように、前記上部抱持片７ａは、前記接合補強片７ｃの上部側の部位を切り起こした態様で構成したものであり、それ故、該接合補強片７ｃは、該上部抱持片７ａの後部から垂下させたものではあるが、その後部両側とのみ連続する構成となっている。なお、該接合補強片７ｃは、その下部においても四辺形の切欠開口が形成してあるが、これは軽量化のためである。また前記上部側スライド板２は、同図に示すように、上部抱持片７ａからそのまま背後方向に延長した板状の構成であるが、該上部抱持片７ａと前記接合補強片７ｃとの関係から、該接合補強片７ｃの最上部両側部分が該上部抱持片７ａの両外側の部位まで延びており、該上部側スライド板２の前端は、上部抱持片７ａの後端に加えて、該接合補強片７ｃの上端とも接続状態となっている。該上部側スライド板２の後端の規制片２ａは、該上部側スライド板２の後部を下方に屈曲して構成したものである。更にまた前記接合補強片７ｃの下端の上部連結片７ｂも前者の下部を後方に屈曲して構成したものであり、更に該上部連結片７ｂには、前記ボルト部材９ａを貫通させるためのボルト孔７ｄが開口してある。
【００３８】
同様に、特に図６(a)〜(c)に示すように、前記の抱持手段のうち、前記ボルト部材９ａ、ナット部材９ｂ及び圧縮コイルバネ９ｃを除く下部側部材である、前記下部抱持片８ａ、下部連結片８ｂ及び接合補強片８ｃと、下部側スライド板３とは、一枚の金属板（この実施例１ではステンレススチール板）を加工（打ち抜き及び曲げ等）して一体に構成したものである。
【００３９】
図６(a)〜(c)に示すように、前記下部抱持片８ａは、前記接合補強片８ｃの下部を切り倒した態様で構成したものであり、それ故、該接合補強片８ｃは、該下部抱持片８ａの後部から立ち上げたものではあるが、その後部両外側部分のみと連続する構成となっている。なお、該接合補強片８ｃは、その上部においても四辺形の切欠開口が形成してあるが、これは軽量化のためである。また前記下部側スライド板３は、同図に示すように、下部抱持片８からそのまま背後方向に延長した板状の構成であるが、該下部抱持片８ａと該接合補強片８ｃとの関係から、該接合補強片８ｃの最下部両側部分が該下部抱持片８ａの両外側部分まで延びており、該下部側スライド板３の前端は、該下部抱持片８ａの後端とばかりでなく、該接合補強片８ｃの下端とも接続状態となっている。更にまた前記接合補強片８ｃの上端の下部連結片８ｂは前者の上部を後方に屈曲して構成したものであり、更に該下部連結片８ｂには、前記ボルト部材９ａを貫通させるためのボルト孔８ｄが開口してある。
【００４０】
図３に示すように、前記連結手段を構成するボルト部材９ａ及びナット部材９ｂのうち、ナット部材９ｂは、ボルト部材９ａの端部毎に二個ずつ用い、そのうちの一つはロックナットとして機能すべく用いる。なお、前記上部連結片７ｂ又は前記下部連結片８ｂと該ナット部材９ｂとの間には前記圧縮コイルバネ９ｃを挿入し、前記ボルト部材９ａの温度変化に起因する伸縮とガラスパネル１のそれとの差を吸収するようにする。
【００４１】
前記上スライドベース金具４は、図３及び図７(a)〜(c)に示すように、前記壁面ｗに固定するための固定板部４ａ及び該固定板部４ａで該壁面ｗに固定した状態で、前記上部側スライド板２の下面に上端をスライド自在に当接させるべく、該固定板部４ａから水平に延びる水平腕板４ｃを介して立ち上げたスライド縦板４ｂを備えた金属（この実施例１ではステンレススチールを採用）の板状部材である。特に図３及び図７(a)、(b)に示すように、該固定板部４ａは、その上端から前記水平腕板４ｃを前方に向かってほぼ直角に屈曲して構成し、該水平腕板４ｃの先端から前記スライド縦板４ｂを立ち上げており、通常、ガラスパネル１、１…の張り付け標準状態で、該スライド縦板４ｂの上端が上部側スライド板２の先端下部に当接状態となるように該水平腕板４ｃの長さを設定する。
【００４２】
また該上スライドベース金具４は、特に図７(b)、(c)に示すように、該固定板部４ａ、スライド縦板４ｂ及び水平腕板４ｃを含む全体を横長に構成したものであり、一つのそれで、ガラスパネル１に抱持状態に取り付ける複数の抱持手段に配した複数の上部側スライド板２をスライド自在に係止することができるようになっている。
【００４３】
該上スライドベース金具４の固定板部４ａには、特に図７(c)に示すように、その上部に長孔４ｌｈと円孔４ｒｈとを交互に横向きに配列開口し、下部には、高さ方向中央部に前方に突き出したブリッジを備えた四辺形開口部４ｓｈ、４ｓｈ…を、同様に横向きに配列開口したものである。前者の長孔４ｌｈ、４１ｈ…と円孔４ｒｈ、４ｒｈ…のうち、長孔４ｌｈ、４ｌｈ…は、アンカーボルト等の軸状固定手段を、それらのいずれかから貫通させ、壁面ｗとの固定のために使用する結合用開口部である。後者のブリッジを備えた四辺形開口部４ｓｈ、４ｓｈ…は、後述するように、また図３に示すように、前記上スライドベース金具４の該固定板部４ａとガラスパネル１の背面との間に配する弾性接着剤１０と絡んで強固な結合を確保するための手段である。
【００４４】
前記下スライドベース金具５は、図３及び図８(a)〜(c)に示すように、前記壁面ｗに固定するための固定板部５ａ及び該固定板部５ａで該壁面ｗに固定した状態で、前記下部側スライド板３の下面に上面をスライド自在に当接させるべく該固定板部５ａの下端から前方に延長したスライド横板５ｂを備えた金属（この実施例１ではステンレススチールを採用）の板状部材である。
【００４５】
また該下スライドベース金具５は、特に図８(b)、(c)に示すように、該固定板部５ａ及びスライド横板５ｂを含む全体を横長に構成してあり、前記上スライドベース金具４と同様に、一つのそれで、ガラスパネル１に抱持状態に取り付ける複数の抱持手段に配した複数の下部側スライド板３をスライド自在に係止することができるようになっている。
【００４６】
該下スライドベース金具５の固定板部５ａには、特に図８(c)に示すように、その下部に長孔５ｌｈと円孔５ｒｈとを交互に横向きに配列開口し、上部には、高さ方向中央部に前方に突き出したブリッジを備えた四辺形開口部５ｓｈ、５ｓｈ…を、同様に横向きに配列開口したものである。前者の長孔５ｌｈ、５１ｈ…と円孔５ｒｈ、５ｒｈ…のうち、長孔５ｌｈ、５ｌｈ…は、前記上スライドベース金具４の固定板部４ａのそれらと同様に、アンカーボルト等の固定手段を、それらのいずれかから貫通させ、壁面ｗとの固定のために使用する結合用開口部である。後者のブリッジを備えた四辺形開口部５ｓｈ、５ｓｈ…は、後述するように、また図３に示すように、前記下スライドベース金具５の該固定板部５ａとガラスパネル１の背面との間に配する弾性接着剤１０と絡んで強固な結合を確保するための手段である。
【００４７】
前記上スライドベース金具４の水平腕板４ｃに定間隔で開口した円孔は水抜き穴４ｗｈ、４ｗｈ…であり、前記下スライドベース金具５のスライド横板５ｂに定間隔で開口した円孔は、同様に、水抜き穴５ｗｈ、５ｗｈ…である。
【００４８】
前記目地部材６は、図３及び図９(a)〜(c)に示すように、壁面ｗに配列するガラスパネル１、１…の目地の幅に対応する幅寸法を有する長尺の目地板６ａと、該目地板６ａの裏面から隣接する一方のガラスパネル１の裏面側に斜めに延長し、その後端から該ガラスパネル１の裏面に接合固定すべく更に延長してなる固定板６ｂとで構成したものである。
【００４９】
該目地部材６は、種々の材質で作成することが可能であるが、この実施例１では、プラスチックで作成したものである。固定板６ｂとガラスパネル１の裏面との接合は、この実施例１では接着剤により行うこととした。予め該固定板６ｂの該当する面に接着剤を塗布して剥離紙で被覆しておき、取り付け時に、該剥離紙を剥離してガラスパネル１の裏面に接着固定し得るようにしておく。
【００５０】
従ってこの実施例１のガラスパネルの壁面への張付構造では、予め対象のガラスパネル１、１…の張り付け配列に対応させて、建造物の壁面ｗに前記上スライドベース金具４、４…及び前記下スライドベース金具５、５…を取り付けておく。該上スライドベース金具４、４…は、そのスライド縦板４ｂの上端でガラスパネル１に固設されている上部側スライド板２にスライド自在に当接支持するものであり、下スライドベース金具５、５…は、そのスライド横板５ｂの上面で、ガラスパネル１に固設されている下部側スライド板３をスライド自在に当接支持するものであるから、所定配列のガラスパネル１、１…に対してそのような位置関係となるように壁面ｗに配置する。
【００５１】
壁面ｗのガラスパネル１、１…の張り付け領域の最下部に下スライドベース金具５、５…を横一列に配置固定し、ガラスパネル１枚分の所定間隔をおいてその上方に上スライドベース金具４、４…を横一列に配置固定する。更に該上スライドベース金具４、４…の直上に目地に対応する間隔を空けて下スライドベース金具５、５…を横一列に配置固定する。この後、張り付け領域の最上部まで、同様に、交互に上スライドベース金具４、４…と下スライドベース金具５、５…とを配列固定する。当然最上部は上スライドベース金具４、４…の配列固定で終了する。
【００５２】
上スライドベース金具４は、前記し、図３に示すように、その固定板部４ａを壁面ｗの所定の位置に当接させ、その長孔４ｌｈ、４ｌｈ…から適切な複数のそれを選択し、その外方から、予め壁面ｗに形成してある下孔に、適当な軸状結合手段、この実施例１ではアンカーボルト１１をねじ込み挿入し、これを通じて該上スライドベース金具４を壁面ｗに固定する。
【００５３】
下スライドベース金具５も、同様に、前記し、図３に示すように、その固定板部５ａを壁面ｗの所定の位置に当接させ、その長孔５ｌｈ、５ｌｈ…から適切な複数のそれを選択し、その外方から，予め壁面ｗに形成してある下孔に、適当な軸状結合手段、この実施例１ではアンカーボルト１１をねじ込み挿入し、これを通じて該下スライドベース金具５を壁面ｗに固定する。
【００５４】
他方、張り付け対象のガラスパネル１、１…も、図１に示すように、予め抱持手段及び目地部材６、６を取り付けておき、該ガラスパネル１に結合している上部側スライド板２及び下部側スライド板３をそれぞれ壁面ｗに固設してある上スライドベース金具４のスライド縦板４ｂ及び下スライドベース金具５のスライド横板５ｂに所定の態様でスライド自在に当接係止させ、ガラスパネル１、１…の張り付けを行う。このとき、同時に、該ガラスパネル１の背後の所定の部位と壁面ｗ側の所定の部位との間に弾性接着剤１０を施すものとする。
【００５５】
以上のように、ガラスパネル１には、予め抱持手段を取り付けておく。
図３に示すように、ガラスパネル１の上辺の斜面１ａには上部抱持片７ａを、背面には接合補強片７ｃを、それぞれ当接させる。ガラスパネル１の背面のうち、該接合補強片７ｃを当接させる部位には、直前に、接着剤を施したグラスファイバーメッシュを配して置き、該接合補強片７ｃは、こうしてこれらを介してガラスパネル１の該当する背面に接着接合する。
【００５６】
同図に示すように、ガラスパネル１の下辺の斜面１ａには下部抱持片８ａを、背面には接合補強片８ｃを、それぞれ当接させる。ガラスパネル１の背面のうち、該接合補強片８ｃを当接させる部位には、直前に、接着剤を施したグラスファイバーメッシュを配して置き、該接合補強片８ｃは、こうしてこれらを介してガラスパネル１の該当する背面に接着接合する。
【００５７】
この後、図１及び図３に示すように、前記ボルト部材９ａの上部を、上部の接合補強片７ｃの下端に構成した上部連結片７ｂのボルト孔７ｄに貫通させ、該ボルト部材９ａの下部を下部の接合補強片８ｃの上端に構成した下部連結片８ｂのボルト孔８ｄに貫通させ、該ボルト部材９ａの上部連結片７ｂより上方側に前記圧縮コイルバネ９ｃを外装させた上で二つのナット部材９ｂ、９ｂをその上方から螺合し、更に該ボルト部材９ａの下部連結片８ｂより下方側に前記圧縮コイルバネ９ｃを外装させた上で二つのナット部材９ｂ、９ｂをその下方から螺合する。それぞれ内側のナット部材９ｂで前記圧縮コイルバネ９ｃを適切に締め付けた上で、それぞれその外側のナット部材９ｂを該内側のナット部材９ｂ側に強く締め付けてナット部材９ｂ、９ｂの締め付け状態をロックする。
【００５８】
こうしてガラスパネル１の一箇所の上下辺での抱持が完了するが、このような抱持を、この実施例１では、図１に示すように、ガラスパネル１の両側部から全横幅の１／４の距離の２箇所の部位で行ったものである。
【００５９】
更にガラスパネル１には、図１及び図２(a)、(b)に示すように、その隣接する側辺（左側辺）及び上辺に前記目地部材６を配しておく。
特に図２(a)に示すように、二枚の目地部材６、６の目地板６ａ、６ａを、それぞれその側辺をガラスパネル１の上辺又は側辺の斜面１ａの表裏方向途中に当接させた状態に配し、それぞれの固定板６ｂ、６ｂを、図２(b)に示すように、該ガラスパネル１の上辺又は左側辺に近接する裏面に接着接合する。図２(a)に示すように、上辺に配する目地板６ａの左端及び左側辺に配する目地板の上端は、それぞれ対応する４５度に切断して、密着状態に付き合わせる。また固定板６ｂ、６ｂには、予め接着剤を塗布して剥離紙で保護しておき、接着接合時に該剥離紙を剥がして接着固定するようにする。なお、このようにして上辺側裏面に接着接合する固定板６ｂは、前記上部側スライド板２、２及び前記接合補強片７ｃ、７ｃと干渉することになるので、対応する一部を切り欠いて、そのような問題を無くしておく。
【００６０】
この後、以上のように準備したガラスパネル１、１…を、前記上スライドベース金具４、４…及び下スライドベース金具５、５…にスライド自在に係止させて壁面ｗに張り付ける。
【００６１】
図３に示すように、ガラスパネル１の上部側スライド板２を、壁面ｗに固設してある上スライドベース金具４のスライド縦板４ｂの上端上にスライド自在に載置し、同時に該ガラスパネル１の下部側スライド板３を、壁面ｗに固設してある対応する下スライドベース金具５のスライド横板５ｂ上にスライド自在に載置する。なお、このとき、このガラスパネル１の背面の所定の部位には弾性接着剤１０を施しておき、以上のように、ガラスパネル１を壁面ｗの前面に配した際に、該弾性接着剤１０により、ガラスパネル１の背面の所定の部位とと、これらに対面状態となる壁面ｗ側の上スライドベース金具４及び下スライドベース金具５のそれぞれの固定板部４ａ、５ａとが、その周囲も含めて弾性的な接着接合状態となる。
【００６２】
こうしてガラスパネル１は、壁面ｗに、その面方向及び面に直交する方向に一定の範囲でスライド可能な状態で、張り付けることができる。この張付作業を横方向及び高さ方向に繰り返すことで、壁面ｗのガラスパネル１、１…の張り付け領域の全てにその張り付けを行うことができる。どこからどのような順序で張り付け作業を行うかも自由である。このような張り付け作業において、前記上部側スライド板２とスライド縦板４ｂ及び下部側スライド板３とスライド横板５ｂとは、いずれもガラスパネル１の面方向ばかりで無く、面に直交する方向にも相互にスライド自在な関係に係合するものであるから、壁面ｗへの張り付けの際に、ガラスパネル１を適切な圧力で壁面ｗ側に押圧することで、壁面ｗとの間に配した前記弾性接着剤１０の厚さを適切に調節し、これを通じてガラスパネル１、１…の標準取り付け状態における不陸の調節を容易に行うことができ、その面一な張り付けを完成させることができる。
【００６３】
こうしてこの実施例１のガラスパネルの壁面への張付構造によれば、ガラスパネルの面一な張付を容易に確保可能であり、かつ地震等の際には、ガラスパネル１、１…は一定範囲で壁面ｗと相対的にスライド移動可能であり、それ自体に無理な力がかかることを回避し、その損傷を回避することができる。また一部に何らかの理由で損傷が生じた場合は、その一部のみの交換も可能である。
なお、以上の実施例１のガラスパネルの壁面への張付構造において、いちいち説明していないが、金属の構成要素とガラスパネル１とが接合状態になる部位には、その間に非金属の緩衝材を介在させる。
【００６４】
＜実施例２＞
この実施例２のガラスパネルの壁面への張付構造は、図１０〜図１３に示すように、基本的に、建造物の壁面ｗに面一状態に配列する複数のガラスパネル２１、２１…と、該各ガラスパネル２１を、その上下辺で抱持する抱持手段と、該抱持手段の背後に構成した、連結規制溝１２を備えた上部側スライド側片１３、１３、及び連結規制溝１４を備えた下部側スライド側片１５、１５と、上部側スライド側片１３、１３をスライド自在に受ける上スライドベース金具１６のスライド受け板１７、下部側スライド側片１５、１５をスライド自在に受ける下スライドベース金具１８のスライド受け板１９、上部側スライド側片１３、１３の下部の連結規制溝１２に挿入状態となる上スライドベース金具１６の規制板２０及び下部側スライド側片１５、１５の下部の連結規制溝１４に挿入状態となる下スライドベース金具１８の規制板２２と、隣接するガラスパネル２１、２１…相互の間の空間である目地を埋める目地材２３とで構成したものである。
【００６５】
前記ガラスパネル２１、２１…は、この実施例２でも、図１０に示すように、四辺形の板ガラスを採用した。ただし、この実施例２では、図１２及び図１３に示すように、中間膜を介して二枚の単板ガラスを貼り合わせてなる合わせガラスを採用した。この場合の単板ガラスもカラー板ガラスを採用した。実施例１のそれと同様に、透光性ではあるが、カラーであるため背後の壁面ｗ及び張り付けのための各種部材も殆ど見えないようになっている。なお、ガラスパネル２１として無色透明のそれを採用することも，実施例１のそれと同様に、可能ではある。
【００６６】
更に前記ガラスパネル２１、２１…には、この実施例２では、図１３に示すように、その四辺に前面側から端面にかけて斜面２１ａ、２１ａ…を形成しておく。この斜面２１ａは、この実施例２でも、以上のように、四辺の全範囲に形成したが、後述する上部抱持片２４ａ又は下部抱持片２５ａが当接する部位のみに形成するものとしても良い。
【００６７】
前記抱持手段は、この実施例２では、実施例１のそれと同様に、図１３及び図１４(a)〜(c)に示すように、前記ガラスパネル２１の上辺の斜面２１ａの一部に当接する上部抱持片２４ａと、該上部抱持片２４ａの該ガラスパネル２１の斜面２１ａへの当接状態で、該上部抱持片２４ａの後端から該ガラスパネル２１の背面に当接状態で垂下し、その下端に背後方向に屈曲する上部連結片２４ｂを備えた接合補強片２４ｃと、図１３及び図１５(a)〜(c)に示すように、該ガラスパネル２１の下辺の斜面２１ａの一部に当接する下部抱持片２５ａと、該下部抱持片２５ａの該ガラスパネル２１の斜面２１ａへの当接状態で、該下部抱持片２５ａの後端から該ガラスパネル２１の背面に当接状態で立ち上がり、その上端に背後方向に屈曲する下部連結片２５ｂを備えた接合補強片２５ｃと、特に図１３に示すように、前記上部連結片２４ｂと前記下部連結片２５ｂとを伸縮調整可能に連結するボルト部材２６ａ、ナット部材２６ｂ（連結手段）及びボルト部材２６ａとガラスパネル２１の気温の変化に起因する伸縮差の吸収用の圧縮コイルバネ２６ｃと、で構成したものである。
【００６８】
前記上部側スライド側片１３、１３は、図１３、図１２及び図１４(a)〜(c)に示すように、それぞれ前記上部抱持片２４ａの後端から垂下する接合補強片２４ｃの両側に平面視コ字形又は逆コ字形に折曲して構成した構成要素である。それぞれ該接合補強片２４ｃの最上部から中間部より若干下方の部位までに構成した構成要素で、相互に開口側が対面状態となるように構成したものである。該上部側スライド側片１３、１３は、図１３及び図１４(c)に示すように、各々平面から見た三辺のうち、前記接合補強片２４ｃの背後方向に延びる辺の下部に前記連結規制溝１２を四辺形に切り欠いて形成したものである。
【００６９】
前記下部側スライド側片１５、１５は、図１３及び図１５(a)〜(c)に示すように、それぞれ前記下部抱持片２５ａの後端から立ちがる接合補強片２５ｃの両側に平面視コ字形又は逆コ字形に折曲して構成した構成要素である。それぞれ該接合補強片２５ｃの最下部から中間部付近の部位までに構成した構成要素で、相互に開口側が対面状態となるように構成したものである。該下部側スライド側片１５、１５は、図１３及び図１５(c)に示すように、各々平面から見た三辺のうち、前記接合補強片２５ｃの背後方向に延びる辺の下部に前記連結規制溝１４を四辺形に切り欠いて形成したものである。
【００７０】
図１４(a)〜(c)に示すように、この実施例２では、以上の抱持手段のうち、前記ボルト部材２６ａ、ナット部材２６ｂ及び圧縮コイルバネ２６ｃを除く上部側部材である、前記上部抱持片２４ａ、上部連結片２４ｂ及び接合補強片２４ｃと、連結規制溝１２を備えた上部側スライド側片１３、１３とは、一枚の金属板（この実施例２ではステンレススチール板）を加工（打ち抜き及び曲げ等）して一体に構成したものである。
【００７１】
図１４(b)に示すように、接合補強片２４ｃには、その多くの部分に横長の穴が開口してあるが、これは、この部位に接着剤を配した場合に、絡み合って強力な結合を得るようにする趣旨である。前記上部連結片２４ｂは、図１４(a)〜(c)に示すように、前記接合補強片２４ｃの下部を後方に折曲して構成したものであるが、これには、同図に示すように、前記ボルト部材２６ａを貫通させるためのボルト孔２４ｄが開口してある。
【００７２】
同様に、特に図１５(a)〜(c)に示すように、前記抱持手段のうち、前記ボルト部材２６ａ、ナット部材２６ｂ及び圧縮コイルバネ２６ｃを除く下部側部材である、前記下部抱持片２５ａ、下部連結片２５ｂ及び接合補強片２５ｃと、連結規制溝１４を備えた下部側スライド側片１５、１５とは、一枚の金属板（この実施例２ではステンレススチール板）を加工（打ち抜き及び曲げ等）して一体に構成したものである。
【００７３】
図１５(b)に示すように、接合補強片２５ｃには、その多くの部分に横長の穴が開口してあるが、これは、この部位に接着剤を配した場合に、絡み合って強力な結合を得るようにする趣旨である。前記下部連結片２５ｂは、図１５(a)〜(c)に示すように、前記接合補強片２５ｃの上部を後方に折曲して構成したものであるが、これには、同図に示すように、前記ボルト部材２６ａを貫通させるためのボルト孔２５ｄが開口してある。
【００７４】
図１３に示すように、前記連結手段を構成するボルト部材２６ａ及びナット部材２６ｂのうち、ナット部材２６ｂは、ボルト部材２６ａの端部毎に二個ずつ用い、そのうちの一方をロックナットとして機能すべく用いる。なお、前記上部連結片２４ｂ又は前記下部連結片２５ｂと該ナット部材２６ｂとの間には前記圧縮コイルバネ２６ｃを挿入し、前記ボルト部材２６ａの温度変化に起因する伸縮とガラスパネル２１のそれとの差を吸収するようにする。
【００７５】
前記上スライドベース金具１６は、図１３及び図１６(a)〜(c)に示すように、前記壁面ｗに固定するための固定板部１６ａ及び該固定板部１６ａで該壁面ｗに固定した状態で、前記上部側スライド側片１３、１３の下端をスライド自在に受ける、該固定板部１６ａの上端から前方に延長した前記スライド受け板１７及びその前端で立ち上がり、該上部側スライド側片１３、１３の下部の前記連結規制溝１２中に挿入状態となる前記規制板２０を備えた金属（この実施例２ではステンレススチールを採用）の板状部材である。特に図１３及び図１６(c)に示すように、該スライド受け板１７は、前記固定板部１６ａの上端から前方に向かって直角に屈曲延長し、その先端から前記規制板２０を立ち上げており、通常、該規制板２０は、ガラスパネル２１、２１…の張り付け標準状態で、前記連結規制溝１２の前端に当接状態となるようにする。
【００７６】
また該上スライドベース金具１６は、特に図１６(a)、(b)に示すように、前記固定板部１６ａ、スライド受け板１７及び規制板２０を含む全体を横長に構成したものであり、一つのスライド受け板１７で、ガラスパネル２１に抱持状態に取り付ける複数の抱持手段（この実施例２では三個のそれ）に配した複数（この実施例２では三組）の上部側スライド側片１３、１３…をスライド自在に受け、かつ一つの規制板２０を、複数組（この実施例２では三組）の連結規制溝１２、１２…中に挿入し、抱持手段との間の相対的な動きを一定範囲に規制しうるようになっている。
【００７７】
該上スライドベース金具１６の固定板部１６ａには、特に図１６(b)に示すように、その上部に長孔１６ｌｈと円孔１６ｒｈとを交互に横向きに配列開口し、下部には、高さ方向中央部に前方に突き出したブリッジを備えた四辺形開口部１６ｓｈ、１６ｓｈ…を、同様に横向きに配列開口したものである。前者の長孔１６ｌｈ、１６１ｈ…と円孔１６ｒｈ、１６ｒｈ…のうち、長孔１６ｌｈ、１６ｌｈ…は、アンカーボルト等の軸状固定手段をそれらのいずれかから貫通させて、壁面ｗとの固定のために使用する結合用開口部である。後者のブリッジを備えた四辺形開口部１６ｓｈ、１６ｓｈ…は、後述するように、また図１３に示すように、前記上スライドベース金具１６の前記固定板部１６ａとガラスパネル２１の背面との間に配する弾性接着剤２７と絡んで強固な結合を確保するための手段である。
【００７８】
前記下スライドベース金具１８は、図１３及び図１７(a)〜(c)に示すように、前記壁面ｗに固定するための固定板部１８ａ及び該固定板部１８ａで該壁面ｗに固定した状態で、前記下部側スライド側片１５、１５の下端をスライド自在に受ける、該固定板部１８ａの下端から前方に延長した前記スライド受け板１９及びその前端で立ち上がり、該下部側スライド側片１５、１５の下部の前記連結規制溝１４中に挿入状態となる前記規制板２２を備えた金属（この実施例２ではステンレススチールを採用）の板状部材である。特に図１３及び図１７(c)に示すように、該スライド受け板１９は、前記固定板部１８ａの下端から前方に向かって直角に屈曲延長し、その先端から前記規制板２２を立ち上げており、通常、該規制板２２は、ガラスパネル２１、２１…の張り付け標準状態で、前記連結規制溝１４の前端に当接状態となるようにする。
【００７９】
また該下スライドベース金具１８は、特に図１７(a)、(b)に示すように、前記固定板部１８ａ、スライド受け板１９及び規制板２２を含む全体を横長に構成したものであり、一つのスライド受け板１９で、ガラスパネル２１に抱持状態に取り付ける複数の抱持手段（この実施例２では三個のそれ）に配した複数（この実施例２では三組）の下部側スライド側片１５、１５…をスライド自在に受け、かつ一つの規制板２２を、複数組（この実施例２では三組）の連結規制溝１４、１４…中に挿入し、抱持手段側の動きを一定範囲に規制しうるようになっている。
【００８０】
該下スライドベース金具１８の固定板部１８ａには、特に図１７(b)に示すように、その上部に長孔１８ｌｈと円孔１８ｒｈとを交互に横向きに配列開口し、下部には、高さ方向中央部に前方に突き出したブリッジを備えた四辺形開口部１８ｓｈ、１８ｓｈ…を、同様に横向きに配列開口したものである。前者の長孔１８ｌｈ、１８１ｈ…と円孔１８ｒｈ、１８ｒｈ…のうち、長孔１８ｌｈ、１８ｌｈ…は、アンカーボルト等の軸状固定手段をそれらのいずれかから貫通させ、壁面ｗとの固定のために使用する結合用開口部である。後者のブリッジを備えた四辺形開口部１８ｓｈ、１８ｓｈ…は、後述するように、また図１３に示すように、前記下スライドベース金具１８の前記固定板部１８ａとガラスパネル２１の背面との間に配する弾性接着剤２７と絡んで強固な結合を確保するための手段である。
【００８１】
前記上スライドベース金具１６のスライド受け板１７に定間隔で開口した円孔は水抜き穴１７ｗｈ、１７ｗｈ…であり、前記下スライドベース金具１８のスライド受け板１９に定間隔で開口した円孔は、同様に、水抜き穴１９ｗｈ、１９ｗｈ…である。
【００８２】
前記目地材２３は、図１３に示すように、壁面ｗに配列したガラスパネル２１、２１…の目地に充填する一般的な部材であり、背後側のバッカー材２３ａと前面側の目地シーリング材２３ｂからなるものである。なお、当然ながら、目地材２３は、これに限定されるわけではない。実施例１で採用した目地部材６を採用することも当然自由である。
【００８３】
従ってこの実施例２のガラスパネルの壁面への張付構造では、実施例１の場合と同様に、予め対象のガラスパネル２１、２１…の張り付け配列に対応させて、建造物の壁面ｗに前記上スライドベース金具１６、１６…及び前記下スライドベース金具１８、１８…を取り付けておく。該上スライドベース金具１６、１６…は、そのスライド受け板１７の上面でガラスパネル２１に固設されている上部側スライド側片１３、１３の下端をスライド自在に受けるものであり、下スライドベース金具１８、１８…は、そのスライド受け板１９の上面で、ガラスパネル２１に固設されている下部側スライド側片１５、１５の下端をスライド自在に受けるものであるから、所定配列のガラスパネル２１、２１…に対してそのように受けうる位置関係で壁面ｗに配置する。
【００８４】
壁面ｗのガラスパネル２１、２１…の張り付け領域の最下部に下スライドベース金具１８、１８…を横一列に配置固定し、ガラスパネル２１の一枚分の間隔をおいてその上方に上スライドベース金具１６、１６…を横一列に配置固定する。更に該上スライドベース金具１６、１６…の直上に目地に対応する間隔を空けて下スライドベース金具１８、１８…を横一列に配置固定する。この後、張り付け領域の最上部まで、同様に、交互に上スライドベース金具１６、１６…と下スライドベース金具１８、１８…とを配列固定する。当然最上部は上スライドベース金具１６、１６…の配列固定で終了する。
【００８５】
上スライドベース金具１６は、前記し、図１３に示すように、その固定板部１６ａを壁面ｗの所定の位置に当接させ、その長孔１６ｌｈ、１６ｌｈ…から適切な複数のそれを選択して、その外方から、予め壁面ｗに形成してある下孔に、適当な軸状結合手段、この実施例２ではアンカーボルト２８をねじ込み挿入し、これを通じて該上スライドベース金具１６を壁面ｗに固定する。
【００８６】
下スライドベース金具１８も、同様に、前記し、図１３に示すように、その固定板部１８ａを壁面ｗの所定の位置に当接させ、その長孔１８ｌｈ、１８ｌｈ…から適切な複数のそれを選択して、その外方から、予め壁面ｗに形成してある下孔に、適当な軸状結合手段、この実施例２ではアンカーボルト２８をねじ込み挿入し、これを通じて該下スライドベース金具１８を壁面ｗに固定する。
【００８７】
他方、張り付け対象のガラスパネル２１、２１…も、図１０に示すように、予め抱持手段を取り付けておき、該ガラスパネル２１に結合している上部側スライド側片１３、１３及び下部側スライド側片１５、１５をそれぞれ壁面ｗに固設してある上スライドベース金具１６のスライド受け板１７及び下スライドベース金具１８のスライド受け板１９に所定の態様でスライド自在に受けさせ、上部側スライド側片１３、１３の連結規制溝１２、１２に上スライドベース金具１６の規制板２０を、下部側スライド側片１５、１５の連結規制溝１４、１４に下スライドベース金具１８の規制板２２を、それぞれ挿入状態とする態様のガラスパネル２１、２１…の張り付けを行う。このとき、同時に、該ガラスパネル２１の背後の所定の部位と壁面ｗ側の所定の部位との間に弾性接着剤２７を施す。
【００８８】
以上のように、ガラスパネル２１には、予め抱持手段を取り付けておく。
図１３に示すように、ガラスパネル２１の上辺の斜面２１ａには上部抱持片２４ａを、背面には接合補強片２４ｃを、それぞれ当接させる。ガラスパネル２１の背面のうち、該接合補強片２４ｃを当接させる部位には、直前に、接着剤を施したグラスファイバーメッシュを配して置き、該接合補強片２４ｃは、これらを介してガラスパネル２１の該当する背面に接着接合する。
【００８９】
同図に示すように、ガラスパネル２１の下辺の斜面２１ａには下部抱持片２５ａを、背面には接合補強片２５ｃを、それぞれ当接させる。ガラスパネル２１の背面のうち、該接合補強片２５ｃを当接させる部位には、直前に、接着剤を施したグラスファイバーメッシュを配して置き、該接合補強片２５ｃは、これらを介してガラスパネル２１の該当する背面に接着接合する。
【００９０】
この後、図１０及び図１３に示すように、前記ボルト部材２６ａの上部を、上部の接合補強片２４ｃの下端に構成した上部連結片２４ｂのボルト孔２４ｄに貫通させ、該ボルト部材２６ａの下部を下部の接合補強片２５ｃの上端に構成した下部連結片２５ｂのボルト孔２５ｄに貫通させ、該ボルト部材２６ａの上部連結片２４ｂより上方側に前記圧縮コイルバネ２６ｃを外装させた上で二つのナット部材２６ｂ、２６ｂをその上方から螺合し、更に該ボルト部材２６ａの下部連結片２５ｂより下方側に前記圧縮コイルバネ２６ｃを外装させた上で二つのナット部材２６ｂ、２６ｂをその下方から螺合する。それぞれ内側のナット部材２６ｂで前記圧縮コイルバネ２６ｃを適切に締め付けた上で、それぞれその外側のナット部材２６ｂを該内側のナット部材２６ｂ側に強く締め付け、ナット部材２６ｂ、２６ｂの締め付け状態をロックする。
【００９１】
こうしてガラスパネル２１の一箇所の上下辺での抱持が完了するが、このような抱持を、この実施例２では、図１０に示すように、ガラスパネル２１の中央部と、両側部から全横幅の１／６の距離の部位の二箇所との計三箇所で行ったものである。
【００９２】
この後、以上のように準備をしたガラスパネル２１、２１…を、前記上スライドベース金具１６、１６…及び下スライドベース金具１８、１８…にスライド自在に係止させて壁面ｗに張り付ける。
【００９３】
図１３に示すように、ガラスパネル２１の背後の上部側スライド側片１３、１３を、壁面ｗに固設してある上スライドベース金具１６のスライド受け板１７の上面上に、ガラスパネル２１の背後の下部側スライド側片１５、１５を、壁面ｗに固設してある下スライドベース金具１８のスライド受け板１９の上面上に、それぞれ同時にスライド自在に載置する。この載置は、該ガラスパネル２１を、前記規制板２０、２２の高さを若干越える高さ分だけ持ち上げて壁面ｗ側に移動させ、その後、下降させることにより行う。これによって、このとき同時に、該上部側スライド側片１３、１３の下部に構成した連結規制溝１２、１２中に該規制板２０を挿入し、該下部側スライド側片１５、１５の下部に構成した連結規制溝１４、１４中に該規制板２２を挿入することができる。
【００９４】
また、このとき、更に、このガラスパネル２１の対面する壁面ｗに固設してある上スライドベース金具１６及び下スライドベース金具１８の固定板部１６ａ、１８ａに予め弾性接着剤２７を施しておき、以上のように、ガラスパネル２１を壁面ｗの前面に配した際に、該弾性接着剤２７により、該壁面ｗ側の上スライドベース金具１６及び下スライドベース金具１８のそれぞれの固定板部１６ａ、１８ａと、これに対面するガラスパネル２１の背面とが、その周囲も含めて同時に弾性的な接着接合状態となる。
【００９５】
前記弾性接着剤２７の配置は、前記のように、固定板部１６ａ、１８ａ上であり、特に図１１及び図１２に示すように、同時に、各抱持手段の上部側及び下部側の両側の部位にそれぞれ配することとする。勿論、弾性接着剤２７の施用位置はこれに限定されるものではない。
【００９６】
こうしてガラスパネル２１は、壁面ｗに、その面方向及び面に直交する方向に一定の範囲でスライド可能な状態で張り付けることができる。この張付作業を横方向及び高さ方向に繰り返すことで壁面ｗのガラスパネル２１、２１…の張り付け領域の全てにその張り付けを行うことができる。どこからどのような順序で張り付け作業を行うかも自由である。このような張り付け作業において、前記上部側スライド側片１３、１３とスライド受け板１７及び下部側スライド側片１５、１５とスライド受け板１９とは、いずれもガラスパネル２１の面方向ばかりで無く、面に直交する方向にも相互にスライド自在な関係に係合するものであるから、壁面ｗへの張り付けの際に、ガラスパネル２１を適切な圧力で壁面ｗ側に押圧することで、壁面ｗとの間に配した前記弾性接着剤２７の厚さを適切に調節し、これを通じてガラスパネル２１、２１…の標準張付状態における不陸の調節を容易に行うことができ、その面一な張り付けを完成させることができる。
【００９７】
こうして壁面ｗのガラスパネル２１の張付領域の全てにガラスパネル２１の張付を完了させた後、隣接する各ガラスパネル２１、２１間に目地詰め作業を行う。この実施例２では、図１３に示すように、目地奥にバッカー材２３ａを配置して背後を閉じた上で、その前面に目地シーリング材２３ｂを施すことによって構成する。
【００９８】
こうしてこの実施例２のガラスパネルの壁面への張付構造によれば、ガラスパネルの面一な張付を容易に確保可能であり、壁面ｗ側の規制板２０、２２とガラスパネル２１側の連結規制溝１２、１４との係合により、ガラスパネル２１の壁面ｗからの離脱落下を高いレベルで防止可能であり、かつその係合は、一定範囲の余裕を有しており、壁面ｗとガラスパネル２１との接着は弾性接着剤２７によって行われているので、地震等の際には、ガラスパネル２１、２１…はその余裕範囲で壁面ｗと相対的にスライド移動可能であり、それ自体に無理な力が掛かることを回避し、その損傷を防止することもできる。また一部に何らかの理由で損傷が生じた場合には、その一部のみの交換も可能である。
なお、以上の実施例２のガラスパネルの壁面への張付構造においても、いちいち説明していないが、金属の構成要素とガラスパネル２１とが接合状態になる部位には、その間に非金属の緩衝材を介在させる。
【符号の説明】
【００９９】
１    ガラスパネル
１ａ  斜面
２    上部側スライド板
２ａ  規制片
３    下部側スライド板
４    上スライドベース金具
４ａ  固定板部
４ｂ  スライド縦板
４ｃ  水平腕板
４ｌｈ  長孔
４ｒｈ  円孔
４ｓｈ  四辺形開口
４ｗｈ  水抜き穴
５    下スライドベース金具
５ａ  固定板部
５ｂ  スライド横板
５ｌｈ  長孔
５ｒｈ  円孔
５ｓｈ  四辺形開口
５ｗｈ  水抜き穴
６    目地部材
６ａ  目地板
６ｂ  固定板
７ａ  上部抱持片
７ｂ  上部連結板
７ｃ  接合補強片
７ｄ  ボルト孔
８ａ  下部抱持片
８ｂ  下部連結片
８ｃ  接合補強片
８ｄ  ボルト孔
９ａ  ボルト部材
９ｂ  ナット部材
９ｃ  圧縮コイルバネ
１０  弾性接着剤
１１  アンカーボルト
１２  連結規制溝
１３  上部側スライド側片
１４  連結規制溝
１５  下部側スライド側片
１６  上スライドベース金具
１６ａ  固定板部
１６ｌｈ  長孔
１６ｒｈ  円孔
１６ｓｈ  四辺形開口部
１７  スライド受け板
１７ｗｈ  水抜き穴
１８  下スライドベース金具
１８ａ  固定板部
１８ｌｈ  長孔
１８ｒｈ  円孔
１８ｓｈ  四辺形開口部
１９  スライド受け板
１９ｗｈ  水抜き穴
２０  規制板
２１  ガラスパネル
２１ａ  斜面
２２  規制板
２３  目地材
２３ａ  バッカー材
２３ｂ  目地シーリング材
２４ａ  上部抱持片
２４ｂ  上部連結片
２４ｃ  接合補強片
２４ｄ  ボルト孔
２５ａ  下部抱持片
２５ｂ  下部連結片
２５ｃ  接合補強片
２５ｄ  ボルト孔
２６ａ  ボルト部材
２６ｂ  ナット部材
２６ｃ  圧縮コイルバネ
２７  弾性接着剤
２８  アンカーボルト
ｗ    壁面
【図１】
2014077255.tif 000003
【図２】
2014077255.tif 000004
【図３】
2014077255.tif 000005
【図４】
2014077255.tif 000006
【図５】
2014077255.tif 000007
【図６】
2014077255.tif 000008
【図７】
2014077255.tif 000009
【図８】
2014077255.tif 000010
【図９】
2014077255.tif 000011
【図１０】
2014077255.tif 000012
【図１１】
2014077255.tif 000013
【図１２】
2014077255.tif 000014
【図１３】
2014077255.tif 000015
【図１４】
2014077255.tif 000016
【図１５】
2014077255.tif 000017
【図１６】
2014077255.tif 000018
【図１７】
2014077255.tif 000019